(57)【特許請求の範囲】
【請求項１】
吸収体を含む本体部と、
前記本体部よりも幅方向の外側に配置され、かつ使用時に非肌対向面側に折り返し可能なウイング部と、を有する吸収性物品であって、
前記ウイング部には、多数の粒状体を含む粒状層が設けられている、吸収性物品。
【請求項２】
前記ウイング部は、前記吸収性物品の前後方向に延びる折り目を基点に、非肌対向面側に折り返されるように構成されており、
前記粒状層は、前記折り目を基点に前記ウイング部が折り返されていない状態において、前記折り目よりも幅方向の外側に配置される、請求項１に記載の吸収性物品。
【請求項３】
前記粒状層は、前記吸収性物品の厚み方向において前記折り目に重ならない、請求項２に記載の吸収性物品。
【請求項４】
前記粒状層は、前記吸収性物品の平面視において分離壁により分けられた複数の粒状区分を有する、請求項１から請求項３のいずれかに記載の吸収性物品。
【請求項５】
前記粒状層は、前記ウイング部と前記本体部に配置されている、請求項１から請求項４のいずれかに記載の吸収性物品。
【請求項６】
前記ウイング部の前記粒状体の目付は、前記本体部の前記粒状体の目付よりも高い、請求項５に記載の吸収性物品。
【請求項７】
前記粒状層よりも非肌対向面側に位置する非肌面シートを備え、
前記非肌面シートの非肌対向面には、前記吸収性物品を下着に止めるための粘着剤が塗布された粘着領域が設けられており、
前記粒状層は、前記吸収性物品の展開状態において前記粘着領域に重なる、請求項１から請求項６のいずれかに記載の吸収性物品。
【請求項８】
吸収体を含む本体部と、
前記本体部よりも幅方向の外側に配置され、かつ使用時に非肌対向面側に折り返し可能なウイング部と、を有する吸収性物品であって、
前記ウイング部には、前記ウイング部に対する圧力に応じて移動可能な多数の粒状体を含み、かつ着用者の身体の形状に追従するように前記ウイング部の形状を変形させる層が設けられている、吸収性物品。
【発明の詳細な説明】
【技術分野】
【０００１】
本発明は、ウイング部を有する吸収性物品に関する。
【背景技術】
【０００２】
特許文献１には、吸収体を含む本体部と、本体部よりも幅方向の外側に配置され、かつ使用時に非肌対向面側に折り返し可能なウイング部と、を有する吸収性物品が開示されている。特許文献１の吸収性物品は、下着に止着された状態で着用される。吸収性物品は、装着時に下着を介して着用者の身体に押し当てられる。
【０００３】
また、特許文献２には、体圧を分散させる吸収性物品が開示されている。特許文献２の吸収性物品は、吸収性ポリマーを含む２層の吸収体コアと、２層の吸収体コアの間に配置された移動補助材と、を有する。特許文献２の吸収性物品は、体液が吸収性ポリマーに吸収されると、２層の吸収体コア同士が向かい合う面に粘性及び弾性を有するゲル状のポリマー層が形成される。そして、２層の吸収体コアがポリマー層及び移動補助材を介して互い対向する面に沿ってずれることより、体圧が分散する。
【先行技術文献】
【特許文献】
【０００４】
【特許文献１】特開２０１０−１３６９００号公報
【特許文献２】特開２００８−１８３１５９号公報
【発明の概要】
【発明が解決しようとする課題】
【０００５】
しかし、上述の吸収性物品には、以下の問題があった。
特許文献１の吸収性物品は、下着によって着用者側に押し当てられているため、例えば、下着が着用者の体型に対して大きい場合には、吸収性物品が着用者の身体に十分に押し当てられないことがある。一方、下着が着用者の体型に対して小さい場合には、吸収性物品が着用者の身体に過度に押し当てられる。
【０００６】
吸収性物品のウイング部は、装着された状態で下着のクロッチ域の非肌対向面側に配置される。下着のクロッチ域は、着用者の排泄口に対向して配置される領域である。着用者の排泄口に対して吸収性物品が十分に押し当てられないと、着用者の身体と吸収性物品との間に隙間が生じ、漏れが発生することがある。また、着用者の排泄口に対して吸収性物品が過度に押し当てられると、着用者の身体と吸収性物品が擦れたり、蒸れが生じたりして、装着感が悪化することがある。
【０００７】
また、特許文献２の吸収性物品は、２層の吸収体コア同士が向かい合う面に沿って移動する。しかし、特許文献２の吸収性物品は、吸収性物品の厚み方向、すなわち着用者の身体側に吸収体コアが移動しない。よって、着用者に対して吸収性物品がフィットせず、体液の漏れが発生することがあった。
【０００８】
そこで、本発明は、上述の課題に鑑みてなされたものであり、着用者の排泄口に対して適度に吸収性物品を沿わせて配置し、体液の漏れを抑制するとともに装着感を向上することを目的とする。
【課題を解決するための手段】
【０００９】
本開示に係る吸収性物品（吸収性物品１）は、吸収体（吸収体３０）を含む本体部（本体部２）と、前記本体部よりも幅方向の外側に配置され、かつ使用時に非肌対向面側に折り返し可能なウイング部（ウイング部４０）と、を有する吸収性物品であって、前記ウイング部には、多数の粒状体（粒状体６３）を含む粒状層（粒状層６０）が設けられていることを要旨とする。
【００１０】
また、本開示に係る吸収性物品（吸収性物品１）は、吸収体（吸収体３０）を含む本体部（本体部２）と、前記本体部よりも幅方向の外側に配置され、かつ使用時に非肌対向面側に折り返し可能なウイング部（ウイング部４０）と、を有する吸収性物品であって、前記ウイング部には、前記ウイング部に対する圧力に応じて移動可能な多数の粒状体（粒状体６３）を含み、かつ着用者の身体の形状に追従するように前記ウイング部の形状を変形させる層（粒状層６０）が設けられている。
【発明の効果】
【００１１】
本開示に係る吸収性物品によれば、着用者の排泄口に対して適度に吸収性物品を沿わせて配置し、体液の漏れを抑制するとともに装着感を向上することができる。
【図面の簡単な説明】
【００１２】
【図１】実施形態に係る吸収性物品の平面図である。
【図２】図１に示す吸収性物品の背面図である。
【図３】図１に示すＡ−Ａ断面の模式断面図である。
【図４】図１に示す吸収性物品が着用された状態の模式断面図である。
【図５】変形例１に係る吸収性物品の平面図である。
【図６】変形例２に係る吸収性物品の平面図である。
【発明を実施するための形態】
【００１３】
（１）吸収性物品の全体構成
図１〜図３を参照して、実施形態における吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１４】
図１は、吸収性物品１の平面図である。図２は、吸収性物品１の背面図である。図３は、図１に示すＡ−Ａ断面の模式断面図である。本実施形態における吸収性物品１は、夜用の生理用ナプキンである。
【００１５】
吸収性物品１は、着用者の前側（腹側）及び後側（背側）に延びる前後方向Ｌと、前後方向Ｌと直交する幅方向Ｗと、着用者の肌対向面側Ｔ１及び非肌対向面側Ｔ２に延びる厚み方向Ｔと、を有する。
【００１６】
吸収性物品１は、着用者の排泄口当接域に配置される排泄口当接域Ｓ１と、排泄口当接域Ｓ１の後側に位置する後側域Ｓ２と、排泄口当接域Ｓ１の前側に位置する前側域Ｓ３と、を有する。後側域Ｓ２の前後方向Ｌの長さは、排泄口当接域Ｓ１の前後方向Ｌの長さよりも長い。排泄口当接域Ｓ１は、下着に装着された状態で、下着のクロッチ域に装着される領域である。排泄口当接域Ｓ１には、後述するウイング部が配置される。排泄口当接域Ｓ１の後端縁（後側域Ｓ２の前端縁）は、ウイング部４０の後端縁である。排泄口当接域Ｓ１の前端縁（前側域Ｓ３の後端縁）は、ウイング部４０の前端縁である。ウイング部４０の前端縁４０Ｆ及びウイング部４０の後端縁４０Ｒは、ウイング部４０の付け根であり、ウイング部４０において最も幅方向の内側に窪んだ部分である。ウイング部４０の前端縁４０Ｆ及びウイング部４０の後端縁４０Ｒは、下着に装着された状態で非肌対向面側に折り返される折り目ＦＬ１上に位置していてもよい。後側域Ｓ２の後端縁は、吸収性物品１の後端縁である。前側域Ｓ３の前端縁は、吸収性物品１の前端縁である。
【００１７】
吸収性物品１は、吸収体を含む本体部２、本体部２よりも幅方向Ｗの外側に配置されるウイング部４０と、本体部２よりも幅方向Ｗの外側に配置されるヒップフラップ部５０と、を有する。本体部２は、ウイングの付け根よりも幅方向の内側の領域である。
【００１８】
本体部２は、肌面シート１０と、非肌面シート２０と、肌面シート１０と非肌面シート２０との間に配置される吸収体３０と、を有する。本体部２は、ウイング部４０よりも幅方向の内側に位置し、かつヒップフラップ部５０よりも幅方向の内側に位置する領域である。本体部２は、排泄口当接域Ｓ１、後側域Ｓ２及び前側域Ｓ３に跨って配置されている。なお、本体部２は、後述する粒状層６０を有していてもよい。
【００１９】
ウイング部４０は、肌面シート１０と、非肌面シート２０と、肌面シート１０と非肌面シート２０との間に配置される粒状層６０と、を有する。ウイング部４０は、使用時に、吸収性物品１の前後方向Ｌに延びる折り目ＦＬ１を基点に非肌対向面側に折り返し可能に構成されている。ウイング部４０は、排泄口当接域Ｓ１に配置されている。
【００２０】
ヒップフラップ部５０は、肌面シート１０と、非肌面シート２０と、を有する。ヒップフラップ部５０は、使用時に下着の非肌当接面側に折り返されずに、下着の肌当接面側に配置されるように構成されている。ヒップフラップ部５０は、後側域Ｓ２に配置されている。なお、ヒップフラップ部５０は、吸収体３０を有していてもよいし、粒状層６０を有していてもよい。
【００２１】
肌面シート１０は、体液等の液体を透過する液透過性のシートである。肌面シート１０は、少なくとも吸収体３０の表面を覆う。肌面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。肌面シート１０は、１枚のシートによって構成されていてもよいし、吸収体３０を覆う表面シートと、吸収体３０の側部、ウイング部４０及びヒップフラップ部５０を覆うサイドシートと、を有する構成であってもよい。
【００２２】
非肌面シート２０は、体液等の液体を透過しない液不透過性のシートである。非肌面シート２０は、吸収性物品１の平面視において肌面シート１０に重なるような大きさを有する。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシート等を用いることができる。ここで、吸収性物品１の平面視とは、厚み方向Ｔにおいて離れた位置から展開状態の吸収性物品１を視認したものである。また、吸収性物品１の展開状態とは、図１に示す状態であり、吸収性物品が折り畳まれてなく、ウイング部４０及びヒップフラップ部５０が厚み方向Ｔにおいて本体部２に重なっていない状態である。
【００２３】
吸収体３０は、体液を吸収可能な吸収材料によって形成される。吸収材料は、例えば、親水性繊維、パルプ、ＳＡＰ、トウからなる繊維集合体等を含む 。 本実施形態における吸収体３０は、複数層のトウからなる繊維集合体及びＳＡＰを含む。
【００２４】
本実施形態における吸収体３０は、例えば、トウからなる繊維集合体を、ティッシュに載せ、その上に、ＳＡＰを、例えば、約８０ｇ／ｍ２散布し、次いで、その上に、トウからなる繊維集合体及び高吸収性ポリマー（約８０ｇ／ｍ２）を積層し、次いで、その上に、トウからなる繊維集合体及び高吸収性ポリマー（約８０ｇ／ｍ２）を積層し、その上に、ティッシュを積層し、次いで、プレス機で圧縮、例えば、３５ｋｇ／ｃｍ２の圧力で５秒間圧縮することにより形成される。本実施形態における吸収体３０の坪量は、積層数、具体的な用途等によって変化するが、例えば、約１０〜約１０００ｇ／ｍ２を適用できる。
【００２５】
吸収体３０は、周囲よりも厚みが厚い中高部３１を有する。中高部３１は、吸収性物品１の幅方向Ｗの中心ＷＣを含む領域に配置される。中高部３１は、本実施形態において、吸収体３０が厚み方向Ｔに圧縮された圧搾部３２により囲まれた部分である。すなわち、中高部３１の外縁は、圧搾部３２である。
【００２６】
粒状層６０は、多数の粒状体６３と、粒状体６３を包む包装体６４と、を含む。粒状体６３は、例えば、例えばポリスチレン発泡ビーズやポリオレフィン発泡ビーズのような疎水性の樹脂発泡ビーズを用いることができる。多数の粒状体６３は、包装体内で移動可能に構成されている。樹脂発泡ビーズの粒径は、１〜５ｍｍ程度であり、嵩密度が０．０１〜０．１ｇ／ｃｍ３である。 樹脂発泡ビーズは、一般にクッション又は枕や布団等の寝具に用いられるビーズであってもよい。
【００２７】
包装体６４は、粒状体６３を包むことができればよく、不織布、織布を用いることができる。包装体６４は、体圧等の圧力がかかった際に変形可能な柔軟性を有していればよい。包装体６４には、開口が形成されていてもよい。包装体６４の開口は、内部に収容された粒状体６３を通過させないように構成される。
【００２８】
また、粒状層６０は、例えば親水性繊維、パルプ又はＳＡＰ等の吸水性を有する繊維を含み、吸収性を有する繊維と粒状体（樹脂発泡ビーズ）とが互いに接合されていないように構成してもよい。
【００２９】
粒状層６０は、少なくともウイング部４０に配置されていればよい。粒状層６０は、ウイング部４０のみならず、本体部２やヒップフラップ部５０に配置されていてもよい。粒状層６０は、吸収性物品１の展開状態においてウイング部４０の折り目ＦＬ１よりも幅方向の外側に配置される。ウイング部４０の折り目ＦＬ１は、吸収性物品１の前後方向Ｌに延びる。
【００３０】
なお、吸収性物品１の展開状態とは、図１に示す状態であり、複数折り畳まれて個包装されている吸収性物品１においては、当該折り畳まれた状態から展開した状態であり、ウイング部４０やヒップフラップ部が本体部２に重なっていない状態である。また、粒状層６０は、吸収性物品１の厚み方向においてウイング部４０の折り目ＦＬ１に重ならない。換言すると、吸収性物品１の平面視にて、粒状層６０が配置されている領域には、折り目ＦＬ１が形成されない。
【００３１】
非肌面シート２０の非肌当接面には、吸収性物品１を下着に止めるための粘着剤が塗布された粘着領域７０が設けられている。粘着領域７０は、本体部２に配置された本体粘着領域７１と、ウイング部４０に配置されたウイング粘着領域７２と、ヒップフラップ部５０に配置されたヒップフラップ粘着領域７３と、を有する。
【００３２】
粒状層６０は、吸収性物品１の展開状態（図１に示す状態）において、ウイング粘着領域７２に重なる。換言すると、粒状層６０は、厚み方向Ｔにおいてウイング粘着領域７２に重なる。また、本実施の形態において２つの部材が重なる構成とは、２つの部材が当接して直接重なる構成のみならず、他の部材を介して間接的に重なる構成を含む概念である。
【００３３】
粘着領域７０は、使用前の状態において、剥離シートによって覆われている。剥離シートは、使用前に粘着剤が劣化するのを防止している。剥離シートは、着用時に着用者によって剥離される。なお、剥離シートを有しない吸収性物品１においては、吸収性物品１を個別に包装する包装シートによって使用前に粘着領域が劣化するのを防止するように構成されていてもよい。
【００３４】
（２）吸収性物品の着用時の変形態様
次いで、このように構成された吸収性物品１の着用時の変形態様について説明する。図４は、吸収性物品１が着用者に着用された状態（以下、着用状態という。）を示す。図４は、図１のＡ−Ａ断面を基準とした断面図である。図４（ａ）は、吸収性物品１が下着に装着され、かつ着用者の体圧がかかっていない状態を示している。図４（ｂ）は、吸収性物品１が下着Ｓに装着され、かつ着用者の体圧がかかっている状態を示している。
【００３５】
図４（ｂ）に示す着用状態では、吸収性物品１が着用者の両脚に挟まれ、幅方向の外側から幅方向の内側に向かう力がかかる。吸収性物品１の幅方向の中央は、幅方向の外側から幅方向の内側に向かう力を受けると、着用者側に隆起する。着用者側に隆起する領域は、圧搾部３２よりも幅方向の内側の領域であり、圧搾部３２を基点に隆起する。圧搾部３２よりも幅方向の外側の領域は、幅方向の内側に押圧され、圧搾部３２を基点として着用者側に立ち上がる。よって、着用者の排泄口当接域に、本体部２の幅方向の中央がフィットする。
【００３６】
図４（ｂ）に示す着用状態では、ウイング部４０は、本体部２の変形による力が下着を介して掛かる。具体的には、ウイング部４０には、肌対向面側Ｔ１から非肌対向面側Ｔ２に向かう力がかかり、特に、ウイング部４０の圧搾部３２と重なる領域に、肌対向面側Ｔ１から非肌対向面側Ｔ２に向かう力がかかる。ウイング部４０の圧搾部３２と重なる領域は、本体部２からの力により圧力が高くなり、ウイング部４０の圧搾部３２と重なる領域の粒状体６３は、幅方向の外側及び幅方向の内側に移動する。粒状体６３の移動方向を図４（ｂ）において矢印Ｐで示す。ウイング部４０の圧搾部３２と重なる領域の粒状体の移動先の領域は、ウイング部４０の圧搾部３２と重なる領域と比較して圧力が低い領域である。粒状体６３は、比較的高い圧力を受けた領域から比較的低い圧力を受けた領域に移動する。よって、図４（ｂ）に示すように、ウイング部４０の幅方向の両側縁に粒状体６３が偏って配置される。
【００３７】
なお、着用状態における吸収性物品１に対する圧力は、厚み方向Ｔに限らず、幅方向Ｗ及び前後方向Ｌにおいても加わる。厚み方向Ｔの圧力が掛かる場合は、幅方向Ｗ及び前後方向Ｌの圧力が掛かる場合と同様に、粒状層６０内の粒状体６３は、圧力の高い部分から圧力の低い部分に移動する。
【００３８】
（３）作用・効果
吸収性物品１は、下着等に装着された状態で使用され、着用時に下着によって着用者側に押し当てられる。このとき、吸収性物品１のウイング部４０は、下着のクロッチ域の非肌対向面側に配置される。下着のクロッチ域は、着用者の排泄口に対向して配置される領域であり、着用状態において着用者の身体に接しやすく、着用者の身体からの圧力を受けやすい部分である。
【００３９】
また、吸収性物品１が着用者から掛かる圧力は、吸収性物品１の領域によって異なる。例えば、比較的高い圧力を受けた領域は、当該圧力によって着用者と吸収性物品１とが密着し易いが、比較的低い圧力を受けた領域は、着用者と吸収性物品１とが密着し難く、十分なフィット性を得ることができないことがある。
【００４０】
本開示に係る吸収性物品１は、着用者から受ける圧力に応じて粒状層６０が変化し、着用者の身体に吸収性物品が適度にフィットする。具体的には、ウイング部４０に設けられた粒状層６０は、多数の粒状体を含み、多数の粒状体が圧力の変化に応じて粒状層６０内で移動する。例えば、比較的高い圧力を受けた領域の粒状体６３は、比較的低い圧力を受けた領域に移動する。このように粒状体が粒状層６０内で移動することにより、比較的低い圧力を受けた領域に粒状体が移動し、この移動した粒状体によって着用者側に吸収性物品１を押し当てることができる。比較的低い圧力を受けた領域は、着用者の身体に押し当てられ、着用者の身体の形状に沿うように吸収性物品１の形状が変化し、着用者と吸収性物品１とが密着し易くなる。よって、着用時に比較的高い圧力を受けた領域と比較的低い圧力を受けた領域との両方を、着用者の身体、特に排泄口に対して吸収性物品１をフィットさせることができる。着用者の排泄口に対して吸収性物品１がフィットするため、体液の漏れを抑制できる。また、粒状層６０によって着用者の身体に吸収性物品１を押し当てるため、弾性部材等で吸収性物品１を身体に押し当てる構成と比較して、着用者の身体に密着させ過ぎずに吸収性物品１を沿わせることができ、蒸れや擦れを抑制でき、装着感を向上できる。
【００４１】
また、粒状層６０は、吸収性物品１の展開状態において、折り目ＦＬ１よりも幅方向Ｗの外側に配置されていてもよい。展開状態におけるウイング部４０の折り目ＦＬ１よりも幅方向Ｗの外側は、着用時に下着の非肌対向面側Ｔ２に配置される。例えば、下着の肌対向面側Ｔ１に粒状層６０が配置されていると、下着自体の着用者側への押し当てる力によって粒状体６３が移動し、身体の動き等に応じた圧力の変化によって粒状体６３が移動し難くなることがある。しかし、下着の非肌対向面側に粒状層６０を配置することにより、身体の動き等に応じた圧力の変化によって粒状体６３が移動し易くなる。よって、身体の動き等に応じた圧力の変化によって吸収性物品１を身体に追従させ、着用者の身体、特に排泄口に対して吸収性物品１をフィットさせることができる。
【００４２】
粒状層６０は、吸収性物品１の厚み方向において折り目に重ならなくてもよい。ウイング部４０の折り目ＦＬ１は、装着時に着用者の脚によって挟まれる部分である。ウイング部４０の折り目ＦＬ１に粒状層６０が配置されていると、着用者の脚に粒状層６０が当たり、着用者に違和感が生じることがある。しかし、粒状層６０が折り目ＦＬ１に重ならないため、着用者の脚に粒状層６０が当たることを抑制し、違和感が生じることを抑制できる。
【００４３】
粒状層６０は、吸収性物品１の展開状態において粘着領域７０に重なっていてもよい。粘着領域７０と粒状層６０とが重なっていると、粘着領域７０を介して下着と粒状層６０とを密着させることができ、下着からの圧力の変化が粒状層６０に伝わり易くなる。
【００４４】
（４）変形例における吸収性物品
次いで、変形例１に係る吸収性物品１Ａ及び変形例２に係る吸収性物品１Ｂについて説明する。なお、変形例の説明において、上述の実施形態と同様の構成については、同符号を用いて説明を省略する。
【００４５】
図５は、変形例１に係る吸収性物品１Ａの平面図である。変形例１に係る吸収性物品１Ａの粒状層６０Ａは、分離壁６２によって分けられた複数の粒状区分６１を有する。分離壁６２は、吸収性物品１Ａの平面視において、粒状層６０Ａを複数の粒状区分に分ける。
【００４６】
分離壁６２は、粒状層６０を複数の粒状区分６１に分ける仕切りである。分離壁６２は、樹脂発泡ビーズを収容する包装体同士が接合されることによって形成されていてもよい。また、粒状層６０が複数の包装体を有し、各包装体内に粒状体６３が収容された形態にあっては、各包装体自体が隣接する包装体と仕切る分離壁６２を構成する。また、分離壁６２は、隣接する粒状区分６１間で粒状体の移動ができないように、連続的に形成されていてもよいし、隣接する粒状区分６１間で粒状体６３の移動が可能なように非連続的（間欠的）に形成されていてもよい。
【００４７】
変形例１の分離壁６２は、前後方向Ｌに沿って配置されている。分離壁６２は、幅方向の外側に位置する粒状区分６１Ａと、幅方向の内側に位置する粒状区分６１Ｂと、に粒状層６０を分ける。
【００４８】
例えば、粒状層６０が分離壁により分けられてない場合（粒状体が一つの包装体に包まれている場合）、ある一方向に粒状体６３が偏ってしまう。この場合、吸収性物品１Ａの部分によっては着用時において圧力の変化に応じて移動する粒状体が少ない状態が発生しうる。一方、粒状層６０を分離壁６２により分けることにより、粒状層６０に含まれる粒状体のある方向への偏りを減らし、着用状態における圧力の変化の大きさが異なる部分に応じて適当な量の粒状体を配置できる。粒状層６０の全体において、圧力の変化に応じて吸収性物品１Ａの形状を着用者の身体の形状に追従させやすくできる。
【００４９】
また、ウイング粘着領域７２は、平面視において分離壁６２を跨ぐように配置されていてもよい。ウイング粘着領域７２は、下着に止着され、下着からの圧力が加わり易い。分離壁６２を跨ぐようにウイング粘着領域７２を配置することにより、下着から吸収性物品１Ａに対する圧力の変化を分離壁６２に分けられた粒状区分６１のそれぞれに伝播させることができる。これにより、身体からの圧力の変化に応じて、複数の粒状区分の粒状体が移動し、複数の粒状区分の形状が身体にフィットするように変化する。
【００５０】
変形例１に係る吸収性物品１Ａによっても、着用者の身体、特に排泄口に対して吸収性物品１Ａをフィットさせることができる。着用者の排泄口に対して吸収性物品１Ａがフィットするため、体液の漏れを抑制できる。また、粒状層６０によって着用者の身体に吸収性物品１Ａを押し当てるため、弾性部材等で吸収性物品１Ａを身体に押し当てる構成と比較して、着用者の身体に密着させ過ぎずに吸収性物品１Ａを沿わせることができ、蒸れや擦れを抑制でき、装着感を向上できる。
【００５１】
図６は、変形例２に係る吸収性物品１Ｂの平面図である。変形例２に係る吸収性物品１Ｂの粒状層６０Ｂは、ウイング部４０と本体部２に配置されている。より詳細には、粒状層６０Ｂは、ウイング部４０と本体部２に跨って配置されている。図６において、粒状層６０Ｂが配置された領域に斜線を付して示す。粒状層６０Ｂは、分離壁６２によって分けられた複数の粒状区分を有する。複数の粒状区分は、ウイング部４０側に配置される粒状区分６１Ａと、本体部２側に配置される粒状区分６１Ｂである。
【００５２】
変形例２の分離壁６２は、ウイング部４０の折り目ＦＬ１よりも幅方向の外側に配置されているが、この構成に限定されない。分離壁６２は、ウイング部４０の折り目ＦＬ１よりも幅方向Ｗの内側に配置されていてもよいし、分離壁６２は、ウイング部４０の折り目ＦＬ１に一致していてもよい。分離壁６２は、１つのみならず、複数設けられていてもよい。
【００５３】
また、変形例２に係る粒状層６０Ｂは、ウイング部４０と本体部２に跨って配置されているが、この構成に限定されない。粒状層６０Ｂは、幅方向に分断され、ウイング部４０と本体部２のそれぞれに配置されていてもよい。本体部２に配置された粒状層６０は、吸収体３０と重なっていてもよい。
【００５４】
粒状層６０Ｂがウイング部４０と本体部２に配置されていることにより、ウイング部４０のみならず、吸収体３０を有する本体部２においても、身体の動き等に応じた圧力の変化によって、吸収性物品１Ｂを身体に追従させ、着用者の身体に対して吸収性物品１Ｂをフィットさせることができる。
【００５５】
また、ウイング部４０の粒状体６３の目付は、本体部２の粒状体６３の目付よりも高く構成されていてもよい。ウイング部４０は、ウイング粘着領域７２によって下着に止着され、本体部２は、本体粘着領域７１によって下着に止着される。本体部２の面積は、ウイング部４０の面積よりも大きいため、一般的に、本体粘着領域７１の面積は、ウイング部４０の面積よりも大きく構成される。また、本体粘着領域７１は、着用された状態で下着Ｓよりも肌対向面側Ｔ１に位置し、下着Ｓと着用者に挟まれるため、下着に対する粘着力を得やすい。本体粘着領域７１の面積が比較的大きく、また本体粘着領域７１と下着との粘着力を得やすいため、本体部２と下着Ｓが止着された状態を維持し易い。一方、ウイング粘着領域７２は、着用された状態で下着Ｓよりも非肌対向面側Ｔ２に位置し、下着Ｓと着用者に挟まれないため、下着Ｓに対する粘着力を比較的得にくい。ウイング粘着領域７２の面積が比較的小さく、またウイング粘着領域７２と下着との粘着力を得難いため、本体部２と下着Ｓが止着した状態を維持し難いことがある。このような背景において、ウイング部４０と下着Ｓが止着した状態を維持するために、ウイング粘着領域７２の粘着剤の目付を高くすることが考えられる。しかし、ウイング粘着領域７２の粘着剤の目付を高くすると、下着Ｓからウイング部４０を円滑に取り外すことができず、ウイング部４０が破れてしまったり、ウイング粘着領域７２の粘着剤が下着に残ってしまったりすることがある。
【００５６】
変形例２に係る吸収性物品は、ウイング部４０の粒状層における粒状体の目付が、本体部２の粒状層における粒状体の目付よりも高いことにより、ウイング部４０の粒状体によってウイング部４０と下着Ｓとを密着させることができる。よって、ウイング粘着領域７２の粘着剤の目付を高くすることなく、ウイング部４０と下着Ｓの止着状態を維持することができる。ウイング部４０が破れてしまったり、ウイング粘着領域７２の粘着剤が下着に残ってしまったりする不具合を抑制しつつ、ウイング部４０と下着Ｓの止着状態を維持することができる。
【００５７】
また、変形例２に係る吸収性物品１Ｂによっても、着用者の身体、特に排泄口に対して吸収性物品１Ｂをフィットさせることができる。着用者の排泄口に対して吸収性物品１Ｂがフィットするため、体液の漏れを抑制できる。また、粒状層６０によって着用者の身体に吸収性物品１Ｂを押し当てるため、弾性部材等で吸収性物品１Ｂを身体に押し当てる構成と比較して、着用者の身体に密着させ過ぎずに吸収性物品１Ｂを沿わせることができ、蒸れや擦れを抑制でき、装着感を向上できる。
【００５８】
（５）その他の実施形態
本実施の形態の吸収性物品は、夜用の生理用ナプキンであるが、吸収性物品は、当該構成に限定されない。吸収性物品は、下着又はおむつに装着される吸収性物品であればよく、昼用の生理用ナプキンであってもよいし、吸収パッド、パンティライナーであってもよい。また、吸収性物品は、ヒップフラップを備えていなくてもよい。
【００５９】
粒状層６０に含まれる粒状体が、流動性の高い樹脂発泡ビーズ粒であってもよい。流動性の高い樹脂発泡ビーズ粒である粒状体６３は、粒状層６０（包装体）内を移動し易く、吸収性物品１の形状が体の形状に追従しやすく変形できる。
【００６０】
吸収体３０は、トウからなる繊維集合体を含んでいてもよい。吸収体３０がより嵩高になるトウからなる繊維集合体を含むことにより、着用状態における体と吸収性物品１とが接しやすくなり、より装着感を向上できる。
【００６１】
粒状層６０は、吸収体３０と非肌面シート２０との間に設けられ、吸水性を有する繊維を含み、粒状層６０に含まれる吸収性を有する繊維と粒状体とは互いに接合されていないように構成されていてもよい。当該構成によれば、粒状層６０においても体液の吸収が可能となり、吸収性物品１の吸収能力を向上させることができる。
【００６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６３】
１      ：吸収性物品
２      ：本体部
１０    ：肌面シート
２０    ：非肌面シート
３０    ：吸収体
３１    ：中高部
３２    ：圧搾部
４０    ：ウイング部
５０    ：ヒップフラップ部
６０    ：粒状層
６１    ：粒状区分
６２    ：分離壁
６３    ：粒状体
６４    ：包装体
７０    ：粘着領域
７１    ：本体粘着領域
７２    ：ウイング粘着領域
７３    ：ヒップフラップ粘着領域
ＦＬ１  ：ウイング部の折り目
Ｌ      ：前後方向
Ｗ      ：幅方向
Ｔ      ：厚み方向
【図１】
0006336386.tif 000002
【図２】
0006336386.tif 000003
【図３】
0006336386.tif 000004
【図４】
0006336386.tif 000005
【図５】
0006336386.tif 000006
【図６】
0006336386.tif 000007